(57)【特許請求の範囲】
【請求項１】
自動車の窓枠に取り付け可能な鍔部と、該鍔部に沿って長尺帯状に形成された庇部とからなる自動車用バイザーであって、
前記庇部と前記鍔部とが別個に成形されているとともに、前記鍔部が金属により形成されており、かつ、
前記鍔部に、自動車の窓枠に固着される被覆部と、前記庇部の上端縁際と接合する接合部とが設けられており、前記被覆部の上下方向の幅が、自動車の窓枠または装飾モールの上下方向の幅と略同一となるように形成されており、なおかつ、
前記庇部は、前記接合部との接合部分を内側向きの凸状に形成したものであることを特徴とする自動車用バイザー。
【請求項２】
自動車の窓枠に取り付け可能な鍔部と、該鍔部に沿って長尺帯状に形成された庇部とからなる自動車用バイザーであって、
前記庇部と前記鍔部とが別個に成形されているとともに、前記鍔部が金属により形成されており、かつ、
前記鍔部に、自動車の窓枠に固着される被覆部と、前記庇部の上端縁際と接合する接合部とが設けられており、前記被覆部の上下方向の幅が、自動車の窓枠または装飾モールの上下方向の幅と略同一となるように形成されており、なおかつ、
前記接合部は、下端に沿って外向きの突条を形成したものであることを特徴とする自動車用バイザー。
【請求項３】
前記接合部が、前記被覆部の下端から下方へ突出した形状で設けられているとともに、前記被覆部の外側面よりも凹状に形成されており、前記接合部に前記庇部を接合させた際、前記庇部の外側面と前記被覆部の外側面とが略面一となることを特徴とする請求項１、または請求項２に記載の自動車用バイザー。
【請求項４】
前記庇部の上端縁際に嵌合突起が設けられているとともに、前記接合部に嵌合孔が設けられており、
前記接合部と前記庇部の上端縁際とが、前記嵌合突起を前記嵌合孔に嵌合させた状態で溶着されていることを特徴とする請求項１、または請求項２に記載の自動車用バイザー。
【請求項５】
前記鍔部は、０．２ｍｍ以上で４．０ｍｍ以下の金属薄板から形成されたものであることを特徴とする請求項１、または請求項２に記載の自動車用バイザー。
【請求項６】
前記鍔部の上端に、自動車の窓枠に係合可能な係合部が設けられていることを特徴とする請求項１、または請求項２に記載の自動車用バイザー。
【請求項７】
前記鍔部が、自動車の窓枠の前端から後端まで至る長さを有しているとともに、その鍔部の上端縁全体に亘って、前記係合部が設けられていることを特徴とする請求項６に記載の自動車用バイザー。
【請求項８】
前記係合部は、外側の端縁に自動車の窓枠と係合可能な折返しを設けたものであることを特徴とする請求項６に記載の自動車用バイザー。
【発明の詳細な説明】
【技術分野】
【０００１】
本発明は、自動車の窓枠に取り付けられる自動車用バイザーに関するものである。
【背景技術】
【０００２】
雨除けや太陽光線の遮断、あるいは装飾を目的として自動車の窓枠に取り付けられる自動車用バイザーとして、窓枠に取り付けられる鍔部と、該鍔部から連設された庇部とを一体的に形成したものが、従来より知られている。【０００３】
図１３は、上記従来の自動車用バイザーの一例であるサイドバイザーを自動車の窓枠に取り付けた状態を示す説明図である。サイドバイザー８１は、自動車の窓枠８２に取り付けられる合成樹脂（たとえば、アクリル樹脂）製の鍔部８３と、鍔部８３より膨出するように形成された合成樹脂製の庇部８４とからなるものである。鍔部８３と庇部８４とは、射出成形により一体的に形成されている。また、鍔部８３の内面側には、粘着テープ（たとえば、両面テープ）８５が貼着されており、サイドバイザー８１は、その粘着テープ８５によって窓枠８２に取り付けられている。一方、自動車に取り付けた際に、外観上の違和感を払拭し、窓枠との一体感を図る目的で、金属製（たとえば、ステンレス製）で一定幅のモール８６が、粘着テープ（たとえば、両面テープ）８７によって鍔部８３の外面側に貼着されている。【０００４】
また、上記したようなモール８６を鍔部の外面側に貼着したサイドバイザー８１においては、自動車の走行中にモールが剥離してしまう虞れがあることから、特許文献１の如く、鍔部の外面側に金属メッキを施したサイドバイザーも考案されている。さらに、特許文献２の如く、バイザ本体の上部表面に装飾用テープを貼着し、その装飾用テープの側端縁をバイザー本体の裏側まで折り込んだサイドバイザーも考案されている。【０００５】
【特許文献１】特開平９−１３６５３７号公報
【特許文献２】特開２００２−２１９９３３号公報
【発明の開示】
【発明が解決しようとする課題】
【０００６】
しかしながら、鍔部８３にモール８６を貼着したサイドバイザーは、自動車の窓枠８２に取り付けた際に、合成樹脂製の鍔部８３が窓枠８２の周囲の金属製の車両モールと重なり合ってしまう。さらに、モール８６の貼着部分においては、各粘着テープ８５、８７の厚み、モール８６の厚み、および鍔部８３の厚み（通常、合計で８ｍｍ程度）によって、鍔部８３の外面が窓枠８２の表面から大きく離れた状態となり、鍔部８３の外面と窓枠８２の表面との間に大きな段差が形成されてしまう。したがって、鍔部８３にモール８６を貼着したサイドバイザーは、自動車に取り付けた場合に、窓枠との一体感に欠け、自動車の窓枠周辺のデザインが損なれる、という不具合を露呈することとなる。加えて、モール８６の上下方向の幅が一定であるため、自動車の前方から後方にかけて車両モールの上下方向の幅が変化している場合には、一層、窓枠との一体感が損なわれてしまう。【０００７】
さらに、特許文献１の如き鍔部に金属メッキを施した自動車用バイザーや、特許文献２の如き装飾テープを貼着した自動車用バイザーでは、金属メッキ部分や装飾用テープが窓枠周囲の車両モールと同様な質感を発現できないため、窓枠との十分な一体感を得ることができない。【０００８】
本発明の目的は、上記従来の自動車用バイザーが有する問題点を解消し、自動車の窓枠に取り付けた際に自動車の窓枠周囲のデザインを損ねることのない自動車用バイザーを提供することにある。
【課題を解決するための手段】
【０００９】  本発明のうち、請求項１に記載の発明の構成は、自動車の窓枠に取り付け可能な鍔部と、該鍔部に沿って長尺帯状に形成された庇部とからなる自動車用バイザーであって、前記庇部と前記鍔部とが別個に成形されているとともに、前記鍔部が金属により形成されており、かつ、前記鍔部に、自動車の窓枠に固着される被覆部と、前記庇部の上端縁際と接合する接合部とが設けられており、前記被覆部の上下方向の幅が、自動車の窓枠または装飾モールの上下方向の幅と略同一となるように形成されており、なおかつ、前記庇部は、前記接合部との接合部分を内側向きの凸状に形成したものであることにある。なお、被覆部の上下方向の幅は、自動車の窓枠の周囲に設けられた装飾モール（いわゆる車両モール）の幅に対して７０〜１２５％の範囲内にあると好ましく、９０％〜１１０％の範囲内にあるとより好ましい。被覆部の上下方向の幅を上記範囲内に調整した場合には、庇部を合成樹脂で形成した場合に、車両モールと取り付けられた自動車用バイザーの合成樹脂形成部分とがほとんど重ならなくなるため、窓枠との一体感がきわめて程度の高いものとなる。加えて、接合部の上下方向の幅は、８．０〜２０．０ｍｍの範囲内にあると好ましい。接合部の上下方向の幅が、８．０ｍｍを下回ると、庇部との接合強度が低下するので好ましくなく、反対に、接合部の上下方向の幅が２０．０ｍｍを上回ると、庇部の外側から見た場合の外観が悪くなるので好ましくない。【００１０】 請求項２に記載の発明の構成は、自動車の窓枠に取り付け可能な鍔部と、該鍔部に沿って長尺帯状に形成された庇部とからなる自動車用バイザーであって、前記庇部と前記鍔部とが別個に成形されているとともに、前記鍔部が金属により形成されており、かつ、前記鍔部に、自動車の窓枠に固着される被覆部と、前記庇部の上端縁際と接合する接合部とが設けられており、前記被覆部の上下方向の幅が、自動車の窓枠または装飾モールの上下方向の幅と略同一となるように形成されており、なおかつ、前記接合部は、下端に沿って外向きの突条を形成したものであることにある。【００１１】  請求項３に記載の発明の構成は、請求項１、または請求項２に記載の発明において、前記接合部が、前記被覆部の下端から下方へ突出した形状で設けられているとともに、前記被覆部の外側面よりも凹状に形成されており、前記接合部に前記庇部を接合させた際、前記庇部の外側面と前記被覆部の外側面とが略面一となることにある。【００１５】 請求項４に記載の発明の構成は、請求項１、または請求項２に記載の発明において、前記庇部の上端縁際に嵌合突起が設けられているとともに、前記接合部に嵌合孔が設けられており、前記接合部と前記庇部の上端縁際とが、前記嵌合突起を前記嵌合孔に嵌合させた状態で溶着されていることにある。【００１９】 請求項５に記載の発明の構成は、請求項１、または請求項２に記載の発明において、前記鍔部は、０．２ｍｍ以上で４．０ｍｍ以下の金属薄板から形成されたものであることにある。【００２０】 請求項６に記載の発明の構成は、請求項１、または請求項２に記載の発明において、前記鍔部の上端に、自動車の窓枠に係合可能な係合部が設けられていることにある。なお、当該���合部は、鍔部の上端縁に沿って内側へ折り返すように設けるのが好ましいが、そのように係合部を設ける場合には、係合部の幅は、１．０〜８．０ｍｍの範囲内にあると好ましく、１．２ｍｍ〜６．０の範囲内にあるとより好ましい。係合部の幅が１．０ｍｍを下回ったり、６．０ｍｍを上回ったりすると、窓枠に取り付けられた装飾モール（車両モール）との一体感が損なわれるので好ましくない。【００２１】 請求項７に記載の発明の構成は、請求項６に記載の発明において、前記鍔部が、自動車の窓枠の前端から後端まで至る長さを有しているとともに、その鍔部の上端縁全体に亘って、前記係合部が設けられていることにある。【００２２】 請求項８に記載の発明の構成は、請求項６に記載の発明において、前記係合部は、外側の端縁に自動車の窓枠と係合可能な折返しを設けたものであることにある。
【発明の効果】
【００２７】  請求項１に記載の自動車用バイザーは、鍔部が金属製であるため、自動車に取り付けた際に、どの角度から見ても、自動車の窓枠との一体的な感じを強く醸し出すことができ、自動車の窓枠の周囲のデザインが損なわれない。また、長期に亘って自動車に取り付けた場合でも、金属製の鍔部がモールや金属メッキのように剥れたりせず、デザイン性が損なわれない。加えて、鍔部と庇部とが別個に成形されているため、庇部のみの交換等を行うことも可能である。また、請求項１に記載の自動車用バイザーは、鍔部の被覆部の上下方向の幅が、窓枠または装飾モールの上下方向の幅と略同様となっているため、自動車に取り付けた場合に、自動車の窓枠との一体的な感じを強く醸し出すことができ、デザイン上の違和感を感じさせない。さらに、請求項１に記載の自動車用バイザーは、庇部の接合部との接合部分が凸状に形成されているため、製造時に鍔部と庇部とを組み付ける際に位置決めし易い。【００２８】  請求項２に記載の自動車用バイザーは、鍔部が金属製であるため、自動車に取り付けた際に、どの角度から見ても、自動車の窓枠との一体的な感じを強く醸し出すことができ、自動車の窓枠の周囲のデザインが損なわれない。また、長期に亘って自動車に取り付けた場合でも、金属製の鍔部がモールや金属メッキのように剥れたりせず、デザイン性が損なわれない。加えて、鍔部と庇部とが別個に成形されているため、庇部のみの交換等を行うことも可能である。また、請求項２に記載の自動車用バイザーは、鍔部の被覆部の上下方向の幅が、窓枠または装飾モールの上下方向の幅と略同様となっているため、自動車に取り付けた場合に、自動車の窓枠との一体的な感じを強く醸し出すことができ、デザイン上の違和感を感じさせない。さらに、請求項２に記載の自動車用バイザーは、接合部の下端に沿って外向きの突条が形成されているため、鍔部の折曲強度が高く、衝撃を受けた場合でも損傷しにくい。【００２９】  請求項３に記載の自動車用バイザーは、鍔部の接合部が凹状に形成されており、庇部を鍔部に接合した際、被覆部の外側面と庇部の外側面とが面一であるため、自動車に取り付けた場合のデザインが良好であるばかりでなく、雨天時に被覆部に付着した水滴をスムーズに後方に流下させることができる。【００３３】 請求項４に記載の自動車用バイザーは、製造時に、庇部の嵌合突起を接合部の嵌合孔に嵌合させるだけで、非常に容易に鍔部と庇部とを組み付けることができる。【００３７】 請求項５に記載の自動車用バイザーは、０．２ｍｍ以上で４ｍｍ以下の金属薄板によって鍔部が形成されており、従来の自動車用バイザーと比較して鍔部がきわめて薄いので、自動車に取り付けた場合に、窓枠との一体的な感じを非常に強く醸し出すことができる。なお、強度と加工性の面から、鍔部の厚みは、０．３ｍｍ〜２．０ｍｍの範囲内にあるとより好ましい。【００３８】  また、請求項６に記載の自動車用バイザーは、鍔部の上端に、自動車の窓枠に係合可能な係合部が設けられており、別途金具を用いることなく非常に容易に自動車へ取り付けることができる。また、自動車への取付時やメンテナンス時に金具を紛失するという事態が発生しない。【００３９】 請求項７に記���の自動車用バイザーは、自動車の窓枠の前端から後端まで至る鍔部の上端縁全体に亘って係合部が設けられているため、自動車に取り付けた場合に、前方、側方、上方のどの角度から見た場合でも、窓枠との一体的な感じを非常に強く醸し出すことができる。【００４０】 請求項８に記載の自動車用バイザーは、係合部の外側の端縁に自動車の窓枠と係合可能な折返しが設けられているため、折返しを窓枠に係合させることにより、別個に金具を用いることなく、非常に容易に自動車に取り付けることができる。また、自動車への取付強度が高く、取り付けた自動車が走行中に強い衝撃を受けた場合でも脱離したりしない。加えて、鍔部の強度が高く、損傷しにくい。
【発明を実施するための最良の形態】
【００４５】
以下、本発明の自動車用バイザーの一実施形態であるとなるサイドバイザーについて図面に基づいて詳細に説明する。図１は、サイドバイザー１を自動車Ｖに取り付けた状態を示す説明図であり、図２は、サイドバイザー１を外側から見た説明図である。また、図３は、サイドバイザー１の断面（図１におけるＡ−Ａ線断面）を示す説明図（自動車側の構造を一部省略して示したもの）である。なお、以下の説明では、図１および図２における自動車側をサイドバイザー１の外側とし、反対側を内側として説明する。【００４６】
図１および２に示されるように、サイドバイザー１は、自動車Ｖの窓部の周縁（以下、窓枠と称す）２に沿うような長尺の刀身状に形成された金属製（たとえば、ステンレス製）の鍔部３と、鍔部３と同様な長尺の刀身状に形成された合成樹脂製（たとえば、アクリル樹脂製）の庇部４とからなるものである。【００４７】
鍔部３は、ステンレス製の薄板（たとえば、厚さ約０．４ｍｍ）を、いわゆるプレス成形によって折り曲げ形成してなるものであり、図３に示されているように、その断面は略Ｓ字状（逆Ｓ字状）になっている。そして、鍔部３の上部は、自動車Ｖの窓枠２を被覆するための帯板状の被覆部６となっており、被覆部６の内側面には、自動車Ｖに取り付けるための粘着テープ９（たとえば、約１．２ｍｍ幅のもの）が貼着されている。また、被覆部６の上端部には、内側方向へと折り曲げられた係合部７が形成されており、係合部７の上端縁には、窓枠２の内側に係合させるための折返しである係合凸条８が設けられている。なお、鍔部３の被覆部６の上下方向の幅は、後述する自動車Ｖの窓枠２に取り付けられた車両モールの上下方向の幅と略同一となっている。【００４８】
また、鍔部３の下部は、庇部４と接合させるための接合部１０が、被覆部６の下端縁に沿って一連の帯状に設けられており、被覆部６よりも内側となるように凹状に窪んだ状態になっている。また、接合部１０の下端縁には、庇部４と係合可能な係止凸条１１が形成されている。その接合部１０には、庇部４を接着するための粘着テープ（両面粘着テープ）５が貼着されており、その粘着テープ５によって庇部４の上端際の部分が接着されている。なお、鍔部３の接合部１０の平坦部分は、粘着テープ５の厚みと庇部４の厚みとを合わせた分だけ被覆部６よりも内側に位置しており、接着した庇部４の上端縁と被覆部６とが略面一となるようになっている。【００４９】
庇部４は、アクリル樹脂を射出成形することによって形成されており、上下方向に若干湾曲し、中央部分が外側に突出した状態になっている。また、庇部４は、着色された合成樹脂によって形成されており、適度な透光性と遮光性とを発現することができるようになっている。さらに、庇部４の上部内側面には、鍔部３の接合部１０と接着するための接着部１２が一体的に設けられており、他の部分より内側に突出した状態になっている。なお、接着部１２の上下方向の幅は、接合部１０の上下方向の幅と略同一となっている。一方、庇部４の上部外側面は、上端側へといくにつれて徐々に薄厚となるように曲面状に形成されている。また、庇部４の後端際の外面は、平坦になっている。【００５０】
かかる庇部４は、粘着テープ５によって接着部１２の表面を鍔部３の接合部１０と接着することによって鍔部３と一体となっている。そして、鍔部３に対して外側に膨出した状態になっており、取り付けられた自動車Ｖの窓ガラス２０の上部周縁を覆うようになっている。なお、庇部４の後端際の外面は、略平坦になっている。また、鍔部３の接合部１０と接着した接着部１２の下端部には、接合部１０の下端の係止凸条１１が係止された状態になっている。【００５１】
また、図４は、サイドバイザー１の先端の部分を示す説明図である。庇部４の先端は、鍔部３の先端より後方に位置しており、その庇部４の先端および鍔部３の先端の下側には、後述するドアミラーベースと係合させるための逆Ｌ字状の係合片１８が、周囲の庇部４や鍔部３よりも薄肉となるように突設されている。【００５２】
以下、サイドバイザー１の自動車Ｖの窓枠２への取付作業について説明する。なお、自動車Ｖの窓枠２は、金属（ステンレス）製のモール（車両モール）によって装飾されている。また、自動車Ｖの窓枠２の前端際においては、車両モールの下側に、ドアミラーを固定するためのドアミラーベース１９が取り付けられており、そのドアミラーベース１９の後端際の上方には、サイドバイザー１の先端と係合させるための係合凹部２０が、所定幅のスリット状に設けられている。【００５３】
サイドバイザー１を自動車Ｖの窓枠２への取り付ける場合には、まず、鍔部３の被覆部６の内側面に粘着テープ９を貼着する。そして、サイドバイザー１の前端に設けられた係合片を、図５の如く、ドアミラーベース１９に設けられた係合凹部２０内に挿入し、係合部７の係合凸条８を窓枠２に係合させながら、粘着テープ９により鍔部３を窓枠２に固着する。かかる如く、サイドバイザー１は、係合凸条８による係合と粘着テープ９による接着によって自動車Ｖの窓枠２に取り付けられる。なお、粘着テープ９の厚みは、鍔部３の被覆部６との合計厚みが約１．６ｍｍとなるように調整される。また、ドアミラーベース１９の係合凹部２０とサイドバイザー１の係合片１８との隙間には、別個に形成されたシール材が挿入されることによって、隙間が埋められる。【００５４】
なお、自動車Ｖにおいては、窓枠２の車両モールの上下方向の幅が、約１０．０ｍｍから１４．０ｍｍの範囲内で変化している（後側の幅の方が前側の幅に比べて広くなっている）が、サイドバイザー１においては、その車両モールの幅の変化に対応して、被覆部６の幅が、約１２．０ｍｍから１６．０ｍｍの範囲内で変化している（後側の幅の方が前側の幅に比べて広くなっている）。【００５５】
一方、図６に示されているように、鍔部３の両側端部には、エンドキャップ１３が取り付けられる。エンドキャップ１３は、鍔部３の被覆部６の内側に形成された空間に挿入可能な基部１４と、基部１４よりも一回り大きく形成された蓋部１５とを一体形成してなるものである。そして、エンドキャップ１３を基部１４側から挿入すると、蓋部１５が鍔部３の端縁に当接するようになっている。【００５６】
以上のように構成されたサイドバイザー１は、鍔部３がステンレス製であるため、自動車Ｖに取り付けた場合に、どの角度から見ても、窓枠２との一体的な感じを強く醸し出すことができ、自動車Ｖのデザインを損なうことがない。また、金属製の鍔部３が金属メッキや装飾シールのように剥れたりしないため、長期に亘って自動車Ｖに取り付けた場合でも、そのデザイン性が損なわれない。【００５７】
さらに、サイドバイザー１は、窓枠２への取付部分における厚み（鍔部３の被覆部６の厚みおよび粘着テープ９の厚み）が１．６ｍｍと、従来のサイドバイザー８１（およそ８ｍｍ）と比較してきわめて薄くなっており、窓枠２との一体的な感じを非常に強く醸し出すことができる。【００５８】
また、鍔部３の被覆部６の上下方向の幅が、窓枠２の上下方向の幅と略同様となっているため、窓枠２のデザインと融合しており、違和感（異物感）を感じさせない。さらに、鍔部３の被覆部６の上下方向の幅が、窓枠２の上下方向の幅と略同様となっているため、自動車Ｖに取り付けた際に、窓ガラス２０の上方に合成樹脂製の庇部４のみが位置するため、別個にサイドバイザー１を取り付けた感じが払拭され、自動車Ｖのデザインに大きな影響を及ぼすことがない。【００５９】
加えて、鍔部３の両側端部にはエンドキャップ１３が挿入されているため、自動車Ｖへの取り付け後に、鍔部３の側端部との接触による怪我の危険等を防止することができる。また、鍔部３と庇部４とが別個に成形されているため、庇部４のみの交換等を行うこともできる。【００６０】
また、サイドバイザー１は、鍔部３の被覆部６の下端に沿って接合部１０が一体的に設けられているため、自動車Ｖに取り付けた際に、接合部１０がガラスラン１６の上側に位置するため、窓枠２との一体的な感じを非常に強く醸し出すことができる。【００６１】
さらに、鍔部３の接合部１０が、粘着テープ５および庇部４の先端の厚みと略同様の厚み分だけ凹状になっており、庇部４を鍔部３に接着した際、被覆部６と庇部４とが面一となっているため、自動車に取り付けた場合のデザインが良好であるばかりでなく、雨天時に被覆部６に付着した水滴をスムーズに後方に流下させることができる。また、鍔部３と庇部４との接合が粘着テープ５による接着のみであるため、製造時に鍔部３と庇部４とを、何ら工具を用いることなく簡単に接着することができる。【００６２】
加えて、サイドバイザー１は、係合凸条８を有する係合部７が鍔部３の上端部に設けられているため、自動車Ｖへの取付時において、係合部７を窓枠２に係合させることより、容易に取付位置を決めることができ、別個に金具を用いることなく、非常に簡単に取り付けることができる。また、取付強度が高く、自動車Ｖの走行中に強い衝撃を受けた場合でも脱離したりしない。加えて、鍔部３自体の強度が高く、損傷しにくい。【００６３】
また、サイドバイザー１は、鍔部３が自動車Ｖの窓枠２の前端から後端まで至る長さを有しているとともに、その鍔部３の上端縁全体に亘って係合部７が設けられているため、自動車Ｖに取り付けた場合に、前方、側方、上方のどの角度から見た場合でも、窓枠２との一体的な感じを強く醸し出すことができる。【００６４】
また、サイドバイザー１は、庇部４の接合部１０との接合部分が凸状に形成されているため、鍔部３と庇部４とを粘着テープ５で接着する際に位置決めし易い。さらに、サイドバイザー１は、接合部１０の下端に沿って外向きの係止凸条１１が形成されているため、鍔部３の折曲強度が高く、衝撃を受けた場合でも損傷しにくい。また、庇部４の接着部１２と接合させる際に、位置決めを行い易い。【００６５】
さらに、サイドバイザー１は、庇部４の外面は、後端際の外面が平坦になっているため、自動車Ｖのフロントドアとリアドアとの接合部分においても、窓枠２との一体的な感じを強く醸し出すことができる。また、同一構造を有するサイドバイザーを、リアドアの窓枠に取り付けた場合には、２つのバイザーが一連になっているかの如き印象を与えることができる。【００６６】
なお、本発明にかかる自動車用バイザーの構成は、上記した実施の形態に何ら限定されるものではなく、本発明の趣旨を逸脱しない範囲で、鍔部および庇部の材料や形状、大きさ、自動車の窓枠への取り付け方法等を適宜変更することができる。【００６７】
図７〜図９は、自動車用バイザーの変更例を示す断面図であり、図７で示される自動車用バイザー５１は、鍔部５３の接合部５５の外側面に庇部５４全体が接着されている。自動車用バイザーをこのように形成した場合には、庇部５４が鍔部５３から剥がれにくくなる上、庇部５４の強度が増す、というメリットがある。【００６８】
また、図８で示されている自動車用バイザー６１は、鍔部６３の接合部６５が庇部６４の内部に埋設されている。自動車用バイザーをこのように形成した場合には、庇部６４が鍔部６３から脱離しにくくなる上、庇部６４の強度が増す、というメリットがある。なお、庇部６４の内部に接合部６５を埋設する場合には、庇部６４の全体に亘って接合部６５を埋設する必要はなく、庇部６４の一部に接合部６５を埋設することも可能である。【００６９】
一方、図９で示されている自動車用バイザー７１は、鍔部７３の接合部７５の外側面に合成樹脂が薄く塗装されている。自動車用バイザーをこのように形成した場合には、部品点数を少なくすることができ、より低コストで生産できる上、取付作業等の手間が簡略化される、というメリットがある。なお、合成樹脂を塗装するかわりに、樹脂シート等を貼着することも可能である。なお、図７や図８の如く、鍔部の接合部に樹脂を溶着させる場合には、予め金属製の鍔部をセットした金型内に樹脂を流し込むインサート成形法を利用することも可能である。かかる構成を採用した場合には、両面テープ等を利用しなくても、鍔部と庇部とを非常に高い強度で接合させることができる上、庇部を透明な合成樹脂で形成した場合でも、庇部の上端縁際の外側からは接合部の内面しか透視できないので、自動車用バイザーの外観が良好なものとなる。【００７０】
また、上記実施形態では、粘着テープを利用して鍔部と庇部とを接着した自動車用バイザーについて説明したが、粘着テープの代わりに粘着性を有する樹脂を利用して鍔部と庇部とを接着することも可能である。【００７１】
さらに、上記実施形態では、鍔部をステンレス製、庇部をアクリル樹脂製としたが、それらに限定されることはなく、鍔部をアルミニウム等の別の金属製としたり、庇部を別の合成樹脂製としても何ら問題はない。【００７２】
加えて、上記実施形態では、鍔部の被覆部の外側面に何ら加工を施していないが、取り付けられる自動車の色にあわせて、自由に着色することが可能であるし、メッキ等を施すことも可能である。さらに、被覆部の形状を薄板状としているが、自動車に合わせて湾曲状に形成することも可能である。すなわち、本発明の自動車用バイザーは、取り付けられる自動車のデザインに応じて、被覆部、接合部、庇部の寸法、形状等を適宜変更することができる。したがって、被覆部の上下方向の幅を窓枠のそれより広く形成したり、接合部を幅狭な溝状に形成したりすることも可能である。【００７３】
また、自動車用バイザーは、上記実施形態の如く、鍔部の被覆部と接合部とが断面Ｓ字状になったもの（すなわち、被覆部が外向きに凸で接合部が外向きに凹になったもの）に限定されず、被覆部と接合部とが同一平面上に位置するようにしたものに変更することも可能である。なお、上記実施形態の如く、鍔部の被覆部と接合部とを断面Ｓ字状に折り曲げ形成した場合には、鍔部の構造強度が非常に高いもとなる、というメリットがある。【００７４】
また、本発明の自動車用バイザーは、接合部と庇部の上端縁際とを、両者を貫通するリベットによって係着することも可能である。かかる構成を採用した場合には、鍔部の接合部と庇部との接合強度が非常に高くなり、取り付けた自動車が走行中に強い衝撃を受けた場合でも、鍔部と庇部とが分離したりしなくなる、というメリットがある。なお、かかる構成を場合には、リベットとして中空鋲や拡張リベット等を好適に用いることができる。【００７５】
さらに、自動車用バイザーは、図１０（ａ）の如く、庇部３１の上端縁際に嵌合突起３２を設けるとともに、鍔部３０の接合部３３に嵌合孔３４を設け、嵌合突起３２を嵌合孔に嵌合させた状態で、接合部３３と庇部３１の上端縁際とを溶着するように構成することも可能である。かかる構成を採用した場合には、自動車用バイザーは、庇部３１の嵌合突起３２を接合部３３の嵌合孔３４に嵌合させるだけで、非常に容易に鍔部３０と庇部３１とを組み付けることができるものとなる。【００７６】
加えて、自動車用バイザーは、図１０（ｂ）の如く、庇部４１の上端縁際に嵌合凹部４４を設けるとともに、鍔部４０の接合部４３に嵌合突起４２を設けて、嵌合突起４２を嵌合凹部４４に嵌合させた状態で、接合部４３と庇部４１の上端縁際とを接着するように構成することも可能である。かかる構成を採用した場合には、自動車用バイザーは、接合部４３の嵌合突起４２を庇部４１の嵌合凹部４４に嵌合させるだけで、非常に容易に鍔部４０と庇部４１とを組み付けることができるものとなる。また、鍔部４０と庇部４１とを容易に分離させることが可能となる。さらに、鍔部４０と庇部４１とを組み付けた場合に、嵌合突起４２が庇部４１の外側に露出しないので、外観も良好となる。なお、上記の如く、接合部や庇部に嵌合突起を設ける場合には、嵌合突起は円柱状のものに限定されず、円筒状のものや角柱状のものでも良い。【００７７】
加えて、自動車用バイザーは、図１１の如く、庇部５１の上端縁際に嵌合突起５２を設けるとともに、鍔部５０の接合部５３に挿通孔５４を設け、挿通孔５４を挿通させた嵌合突起５２の先端を係合金具５５と係合させることによって、接合部５３と庇部５１の上端縁際とを接着するように構成することも可能である。このように自動車用バイザーを構成した場合には、庇部の嵌合突起を接合部の挿通孔に挿入し、その嵌合突起の先端に金具を係合させるだけで、非常に容易に鍔部と庇部とを組み付けることができるものとなる。また、鍔部５０と庇部５１とを容易に分離させることが可能となる。その上、両面テープ等を利用しなくても、非常に高い接合強度を発現させることが可能となる。【００７８】
また、図１２は、接合部５３の挿通孔５４を挿通させた嵌合突起５２の先端と係合させる係合金具５５の一例を示したものであり、この係合金具５５は、矩形に形成されており、中央に挿通孔５７が穿設されている。また、挿通孔５７の周囲には、嵌合突起５２を係止するための複数の係止爪５８，５８・・が上下対称に設けられており、それらの係止爪５８，５８・・の先端が外側に突出した状態になっている。係合金具をこのように構成した場合には、嵌合突起５２の先端と係合させ易くなるとともに、外れにくくなる、というメリットがある。また、庇部５１の上端縁際に設ける嵌合突起５２を幅広なものとすることができるため、接合部と庇部の上端縁際との接着強度をより高いものとすることができる、というメリットがある。なお、係合金具は、上記の如く矩形のものに限定されず、円形や楕円形状のもの等に変更することも可能である。【００７９】
加えて、鍔部と庇部とを組み付けるための構造は、接合部の挿通孔を挿通させた嵌合突起の先端を係合金具と係合させる構造に限定されず、接合部の挿通孔を挿通させた嵌合突起の先端を接合部の挿通孔の周囲に設けた係止爪と係合させる構造に変更することも可能である。【００８０】
加えて、上記実施形態においては、庇部の接着部が他の部分より内側に突出した自動車用バイザーについて説明したが、本発明の自動車用バイザーは、庇部の接着部が他の部分より内側に突出したものに限定されず、接着部が凹状になっているものや、庇部の接着部を他の部分と面一にしたものでも良い。【００８１】
また、本発明の自動車用バイザーは、上記実施形態の如く、鍔部の接合部の下端の係止凸条が内側に突出した庇部の接着部の下端と係合するものに限定されず、庇部の内面に係合溝が刻設されており、接合部の下端の係止凸条が当該係合溝と係合するものに変更することも可能である。【００８２】
また、上記実施の形態では、鍔部を形成する金属の厚みを０．４ｍｍとしたが、これに何ら限定されることはなく、厚みは０．２ｍｍ〜４ｍｍの範囲であれば適宜変更可能である。なお、鍔部を形成する金属の厚みが０．３ｍｍ〜２ｍｍであると、鍔部が折り曲げ加工し易く、十分な強度を有するものとなる上、自動車への取り付けた際に窓枠と一体的な感じを強く醸し出すことができるので好ましく、０．３〜２．０ｍｍの範囲内であるとより好ましい。【００８３】
加えて、鍔部は、折り曲げ形成したものに限定されず、係合部や被覆部、接合部を別個に形成した後に接合することも可能である。【００８４】
一方、上記実施の形態では、鍔部の両側端部にエンドキャップを挿入する構成について説明したが、エンドキャップの代わりに、両側端部に合成樹脂等をコーティングしたり、両側端部を内側へ折り曲げたりすることによって、鍔部の端縁を露出させないようにすることも可能である。【００８５】
また、本発明の自動車用バイザーは、鍔部の側端の内、自動車に取り付けた場合に自動車の中央側となる側端を内側に折り曲げ形成することも可能である。かかる構成を採用した場合には、自動車に取り付けた際に、自動車のフロントドアとリアドアとの接合部分においても、窓枠との一体的な感じを強く醸し出すことが可能となる。【００８６】
さらに、本発明の自動車用バイザーは、鍔部の側端の内、自動車に取り付けた場合に自動車の中央側となる側端に合成樹脂をコーティングしたものとすることも可能である。かかる構成を採用した場合には、自動車への装着・脱着を行う際に、自動車を傷付ける心配がなくなる、というメリットがある。【００８７】
また、自動車用バイザーは、上記実施形態の如く、係合部の外側の端縁に自動車の窓枠と係合可能な折返しを設けたものに限定されず、係合部の外側の端縁をヘミング加工したものや合成樹脂でコーティングしたものに変更することも可能である。かかる構成を採用した場合には、自動車への装着・脱着を行う際に、自動車を傷付ける心配がなくなる、というメリットがある。【００８８】
加えて、上記実施形態では、サイドバイザーを粘着テープのみにより窓枠に固着しているが、サイドバイザーを取り付ける場合には、係止片を有する係止具を補助的に用いることも可能である。そのような取付構造としては、たとえば鍔部の内側面に係止突起を突設する一方、係止具に係止孔を穿設し、その係止孔に係止突起を挿入した状態で係止片を窓枠に係止させるような取付構造を挙げることができる。かかる取付構造において用いる係止具は、金属製でも良いし、合成樹脂製でも良い。また、係止具を用いた補助的な係止を１箇所でのみ行うことも可能であるし、複数箇所において係止具を利用することも可能である。【００８９】
さらに、上記実施形態では、鍔部の接合部の形状を被覆部に沿った帯状としているが、被覆部に沿って断続的に複数の接合部を設けることも可能である。そのような構成を採用する場合には、庇部に設けられる接着部も、接合部に対応させて断続的に突設させることも可能であるし、庇部の上端に沿って一連に設けることも可能である。加えて、接合部に係止凸条を設けないような構成を採用することも可能である。【００９０】
加えて、上記実施形態では、プレス成形によって鍔部を折り曲げ形成した自動車用バイザーについて説明したが、鍔部を折り曲げ成形するための方法は、プレス成形に限定されず、ロールフォーミングやベンダー成形等の方法を採用することも可能である。【００９１】
また、上記実施形態では、フロントドアの窓枠に取り付けるサイドバイザーについて説明したが、本発明の自動車用バイザーは、リアドアの窓枠に用いるバイザーや天窓に用いるバイザーに変更することも可能である。
【図面の簡単な説明】
【００９２】
【図１】サイドバイザーを自動車に取り付けた状態を示す説明図である。
【図２】サイドバイザーを外側から見た説明図である。
【図３】図１におけるＡ−Ａ線断面を示す説明図である。
【図４】サイドバイザーの先端部分を示す説明図である。
【図５】サイドバイザーの先端の係止片をドアミラーベースに挿入する様子を示す説明図である。
【図６】サイドバイザーの側端部およびエンドキャップを示す説明図である。
【図７】自動車用バイザーの変更例を示す説明図である。
【図８】自動車用バイザーの変更例を示す説明図である。
【図９】自動車用バイザーの変更例を示す説明図である。
【図１０】鍔部と庇部との接合状態を示す説明図である。
【図１１】鍔部と庇部との接合状態を示す説明図である。
【図１２】係合金具を示す説明図である。
【図１３】従来の自動車用バイザーの断面を示す説明図である。
【符号の説明】
【００９３】
１・・サイドバイザー、２・・窓枠、３・・鍔部、４・・庇部、５・・粘着テープ、６・・被覆部、７・・係合部、８・・係合凸条（折返し）、９・・粘着テープ、１０・・接合部、１１・・係止凸条（突条）、１２・・接着部、１３・・エンドキャップ、１４・・基部、１５・・蓋部、２０・・窓ガラス、３１・・鍔部、３２・・庇部、３３・・嵌合突起、３４・・接合部、３５・・嵌合孔、４０・・鍔部、４１・・庇部、４２・・嵌合突起、４３・・接合部、４４・・嵌合凹部、５０・・鍔部、５１・・庇部、５２・・嵌合突起、５３・・接合部、５４・・挿通孔、５５・・係合金具、Ｖ・・自動車。
【図１】
0004724114.tif 000002
【図２】
0004724114.tif 000003
【図３】
0004724114.tif 000004
【図４】
0004724114.tif 000005
【図５】
0004724114.tif 000006
【図６】
0004724114.tif 000007
【図７】
0004724114.tif 000008
【図８】
0004724114.tif 000009
【図９】
0004724114.tif 000010
【図１０】
0004724114.tif 000011
【図１１】
0004724114.tif 000012
【図１２】
0004724114.tif 000013
【図１３】
0004724114.tif 000014